(57)【特許請求の範囲】
【請求項１】
浴室内に並べられた衣類を乾燥させる浴室乾燥装置であって、
浴室内の空気を吸い込む吸込口と、
前記吸込口から吸い込んだ空気に流れを発生させるファンと、
前記ファンにより流れが発生した空気を浴室内に吹き出す吹出口と、
前記吹出口から吹き出される空気の方向を規制する風向規制手段と、
前記風向規制手段が規制する空気の方向を制御する制御手段と、を備え、
前記風向規制手段は、前記吹出口から突出する板状の第１ルーバと、前記第１ルーバと対向して配設され前記吹出口から突出する板状の第２ルーバと、を有し、
前記制御手段は、
前記吹出口から吹き出される空気により浴室内に並べられた衣類を乾燥する乾燥モードを実行する際に、
前記第１ルーバと前記第２ルーバとの間に形成される空間が前記吹出口から離れるに従って絞られるように前記第１ルーバ及び前記第２ルーバを制御することで、前記吹出口から吹き出される空気を前記第１ルーバと前記第２ルーバの間において、前記第１ルーバ及び前記第２ルーバの延在方向に広げて流すことを特徴とする浴室乾燥装置。
【請求項２】
前記第１ルーバ及び前記第２ルーバは長方形であり、前記第１ルーバ及び前記第２ルーバの短手方向が前記吹出口から突出するように配置したことを特徴とする請求項１に記載の浴室乾燥装置。
【請求項３】
前記第１ルーバの短手方向の長さと、前記第２ルーバの短手方向の長さとがそれぞれ等しいことを特徴とする請求項２に記載の浴室乾燥装置。
【請求項４】
前記第１ルーバの短手方向の長さと、前記第２ルーバの短手方向の長さと、前記吹出口の一辺の長さと、がそれぞれ等しいことを特徴とする請求項３に記載の浴室乾燥装置。
【請求項５】
前記第１ルーバ及び前記第２ルーバは前記吹出口に収納可能であることを特徴とする請求項１〜４のいずれか１項に記載の浴室乾燥装置。
【請求項６】
前記第１ルーバ及び前記第２ルーバを前記吹出口に収納した際に、前記第１ルーバ及び前記第２ルーバの少なくとも一方が前記吹出口を覆うカバーになることを特徴とする請求項５に記載の浴室乾燥装置。
【請求項７】
前記制御手段は、浴室内に入浴者がいる場合に暖房する入浴暖房モードを実行する際に、
前記第１ルーバと前記第２ルーバとの間に形成される空間が前記吹出口から離れるに従って絞られるように前記第１ルーバ及び前記第２ルーバを制御し、前記乾燥モードの実行時よりも前記第１ルーバの先端と前記第２ルーバの先端を近づけ、前記吹出口から吹き出される空気を前記第１ルーバと前記第２ルーバとの間において、前記第１ルーバ及び前記第２ルーバの延在方向に広げて流すことを特徴とする請求項１〜６のいずれか１項に記載の浴室乾燥装置。
【請求項８】
前記制御手段は、浴室内の暖房をする暖房モードを実行する際に、
前記第１ルーバと前記第２ルーバとを互いに沿わせるように制御し、前記吹出口から吹き出される空気を洗い場に向かって吹きつけることを特徴とする請求項１〜６のいずれか１項に記載の浴室乾燥装置。
【請求項９】
前記制御手段は、浴室内の空気を循環させながら換気する循環換気モードを実行する際に、
前記第１ルーバと前記第２ルーバとを互いに沿わせるように制御し、前記吹出口から吹き出される空気を浴室内壁に向かって吹きつけることを特徴とする請求項１〜６のいずれか１項に記載の浴室乾燥装置。
【請求項１０】
前記制御手段は、浴室内の空気を換気する換気モードを実行する際に、
前記第１ルーバ及び前記第２ルーバを前記吹出口に収納することを特徴とする請求項１〜６のいずれか１項に記載の浴室乾燥装置。
【発明の詳細な説明】
【技術分野】
【０００１】
本発明は、浴室内に並べられた衣類を乾燥させる浴室乾燥装置に関する。
【背景技術】
【０００２】
このような浴室乾燥機として、浴室の空気を吸い込み、ヒータを経由させて浴室方向に空気を噴出する乾燥モードを実行可能なように、噴出口に可動ルーバを備えるものが知られている。乾燥モードの実行時には、浴室内に吊り下げられる乾燥対象に向けて噴出口からの空気が流れるように、可動ルーバの向きを制御するものが知られている（例えば、下記特許文献１参照）。
【先行技術文献】
【特許文献】
【０００３】
【特許文献１】特許第３１５７４９４号公報
【発明の概要】
【発明が解決しようとする課題】
【０００４】
上記特許文献１に記載の従来技術では、可動ルーバの向きを変更して、噴出口からの空気が乾燥対象に噴出するように調整されるため、可動ルーバの幅範囲で噴出される空気が乾燥対象に向かうことになる。そのため、乾燥対象である衣類を浴室の壁際に掛けた場合や、浴室内の広い範囲に乾燥対象である衣類を配置した場合には、直接噴出される空気で乾燥されるのではなく、浴室内の湿度が低下することによる乾燥となっていた。そのため、浴室内の側壁付近等、噴出口の直下から外れた領域に乾燥対象である衣類を吊り下げておくと、その領域には噴出口からの空気が噴出されず、乾燥ムラの原因となっていた。このように乾燥ムラが生じてしまうと、最も乾きにくい箇所が乾くまで浴室乾燥機を駆動する必要があるので乾燥時間が長引いてしまい、結果として電気代も嵩んでしまう。
【０００５】
そこで本発明では、乾燥ムラを低減して、乾燥を促進することができる浴室乾燥機を提供することを目的とする。
【課題を解決するための手段】
【０００６】
上記課題を解決するために本発明に係る浴室乾燥機は、浴室内に並べられた衣類を乾燥させる浴室乾燥装置であって、浴室内の空気を吸い込む吸込口と、前記吸込口から吸い込んだ空気に流れを発生させるファンと、前記ファンにより流れが発生した空気を浴室内に吹き出す吹出口と、前記吹出口から吹き出される空気の方向を規制する風向規制手段と、前記風向規制手段が規制する空気の方向を制御する制御手段と、を備え、前記風向規制手段は、前記吹出口から突出する板状の第１ルーバと、前記第１ルーバと対向して配設され前記吹出口から突出する板状の第２ルーバと、を有し、前記制御手段は、前記吹出口から吹き出される空気により浴室内に並べられた衣類を乾燥する乾燥モードを実行する際に、前記第１ルーバと前記第２ルーバとの間に形成される空間が前記吹出口から離れるに従って絞られるように前記第１ルーバ及び前記第２ルーバを制御することで、前記吹出口から吹き出される空気を前記第１ルーバと前記第２ルーバの間において、前記第１ルーバ及び前記第２ルーバの延在方向に広げて流すことを特徴とする。
【０００７】
本発明によれば、乾燥モードの実行時に、浴室側となる第１ルーバの端部と第２ルーバの端部とが近づくように風向規制手段を制御するので、第１ルーバと第２ルーバとが吹出口から離れるにつれて、第１ルーバと第２ルーバとの間隔が除々に絞られ、吹出口から水平方向に沿った流路が形成される。これにより、吹出口からの空気が、第１ルーバと第２ルーバにあたり、第１ルーバ及び第２ルーバの延在方向である水平方向に沿って流れる。そのため、吹出口から噴出された空気を第１ルーバと第２ルーバとの両端から吹き出させることができ、浴室の側壁方向にも行き亘らせることができる。従って、浴室の側壁側に並べられた乾燥対象物にも直接的に空気をあてることができ、乾燥ムラを防止することができる。本発明では、吹出口からの空気を広い範囲に吹き出すことができ、浴室内に並べられた乾燥対象物である衣類全体に乾燥した空気が行き亘り、乾燥ムラを軽減し乾燥の促進を図ることができる。
【０００８】
また、本発明に係る浴室乾燥機では、第１ルーバ及び第２ルーバは長方形であり、第１ルーバ及び第２ルーバの短手方向が吹出口から突出するように配置することも好ましい。
【０００９】
この好ましい態様では、第１ルーバ及び第２ルーバの短手方向が吹出口から突出するように配置することで、吹出口の近傍に第１ルーバ及び第２ルーバの浴室側端部を配置することができる。従って、吹出口から吹き出された空気は勢いがつく前に第１ルーバ及び第２ルーバの全体によって方向転換がなされ、第１ルーバ及び第２ルーバの延在方向である水平方向に空気が円滑に流れる。そのため、吹出口から吹き出された空気が円滑により広い範囲へと吹き出され、浴室全体に衣類を干した場合でもその干した衣類全体に空気を行き渡らせることができ、乾燥ムラを軽減し乾燥の促進を図ることができる。
【００１０】
また、本発明に係る浴室乾燥機では、第１ルーバの短手方向の長さと、第２ルーバの短手方向の長さとがそれぞれ等しいことも好ましい。
【００１１】
この好ましい態様では、第１ルーバの短手方向の長さと、第２ルーバの短手方向の長さとがそれぞれ等しいので、第１ルーバと第２ルーバとを所定距離離隔させて配置し、第１ルーバ及び第２ルーバそれぞれの先端を近づけて空気流路を形成した場合に、その空気流路断面形状が略二等辺三角形となるため、それぞれのルーバの短手方向長さを十分に活かすことができる。従って、第１ルーバと第２ルーバとで形成される空気流路の断面積を広く確保することができ、第１ルーバ及び第２ルーバの延在方向に流れる空気量を十分に確保することができるため、浴室全体に衣類を干した場合でもその干した衣類全体に空気を行き渡らせることができ、乾燥ムラを軽減し乾燥の促進を図ることができる。また、実際の施工現場で、この浴室乾燥機を水平方向に１８０度回転して設置してしまった場合であっても、第１ルーバと第２ルーバとが短手方向同じ長さであるため、方向性の違いをそれぞれの動作を変更することで対応することができる。具体的には、コントローラの設定を変更し、本来第１ルーバがすべき動作を第２ルーバに行わせ、本来第２ルーバがすべき動作を第１ルーバに行わせることで対応することができる。
【００１２】
また、本発明に係る浴室乾燥機では、第１ルーバの短手方向の長さと、第２ルーバの短手方向の長さと、吹出口の一辺の長さとがそれぞれ等しいことも好ましい。
【００１３】
この好ましい態様では、第１ルーバの短手方向の長さと、第２ルーバの短手方向の長さと、吹出口の一辺の長さとがそれぞれ等しいので、第１ルーバ及び第２ルーバそれぞれの先端を近づけて空気流路を形成した場合に、その空気流路断面形状が略正三角形となるため、それぞれのルーバの短手方向長さを最大限に活かすことができる。従って、第１ルーバと第２ルーバとで形成される空気流路の断面積を広く確保することができ、第１ルーバ及び第２ルーバの延在方向に流れる空気量を十分に確保することができるため、浴室全体に衣類を干した場合でもその干した衣類全体に空気を行き渡らせることができ、乾燥ムラを軽減し乾燥の促進を図ることができる。また、実際の施工現場で、この浴室乾燥機を水平方向に１８０度回転して設置してしまった場合であっても、第１ルーバと第２ルーバとが短手方向同じ長さであるため、方向性の違いをそれぞれの動作を変更することで対応することができる。具体的には、コントローラの設定を変更し、本来第１ルーバがすべき動作を第２ルーバに行わせ、本来第２ルーバがすべき動作を第１ルーバに行わせることで対応することができる。
【００１４】
また、本発明に係る浴室乾燥機では、第１ルーバ及び第２ルーバは吹出口に収納可能であることも好ましい。この好ましい態様では、第１ルーバ及び第２ルーバが吹出口から突出せずフラットに収納することができるので、収納時におけるデザイン性が向上する。
【００１５】
また、本発明に係る浴室乾燥機では、第１ルーバ及び第２ルーバを吹出口に収納した際に、第１ルーバ及び第２ルーバの少なくとも一方が吹出口を覆うカバーになることも好ましい。この好ましい態様では、第１ルーバ及び第２ルーバが収納時にカバーとなるので、吹出口を覆うカバー部材を別途設けることなく、吹出口を覆うことができる。
【００１６】
また、本発明に係る浴室乾燥機では、制御手段は、浴室内に入浴者がいる場合に暖房する入浴暖房モードを実行する際に、第１ルーバと第２ルーバとの間に形成される空間が吹出口から離れるに従って絞られるように第１ルーバ及び第２ルーバを制御し、乾燥モードの実行時よりも第１ルーバの先端と第２ルーバの先端を近づけ、吹出口から吹き出される空気を第１ルーバと第２ルーバとの間において、第１ルーバ及び第２ルーバの延在方向に広げて流すことも好ましい。
【００１７】
この好ましい態様では、浴室内に入浴者がいる場合に暖房する入浴暖房モードを実行する際に、乾燥モードの実行時よりも第１ルーバの先端と第２ルーバの先端を近づけるので、吹出口から吹き出される空気をより第１ルーバ及び第２ルーバの延在方向に広げて流すことができる。従って、吹出口からの空気を入浴者に直接的にあたらないようにすることができる。
【００１８】
また、本発明に係る浴室乾燥機では、制御手段は、浴室内の暖房をする暖房モードを実行する際に、第１ルーバと第２ルーバとを互いに沿わせるように制御し、吹出口から吹き出される空気を洗い場に向かって吹きつけることも好ましい。
【００１９】
この好ましい態様では、浴室内の暖房をする暖房モードを実行する際に、吹出口からの空気を浴室の洗い場に向かって確実に流すことができるので、洗い場を早く暖めることができ、入浴者が快適に入浴を楽しむことができる。
【００２０】
また、本発明に係る浴室乾燥機では、制御手段は、浴室内の空気を循環させながら換気する循環換気モードを実行する際に、第１ルーバと第２ルーバとを互いに沿わせるように制御し、吹出口から吹き出される空気を浴室内壁に向かって吹きつけることも好ましい。
【００２１】
この好ましい態様では、循環換気モードの実行時に、吹出口からの空気を浴室の内壁に向かって確実に流すことができるので、浴室の内壁を素早く乾燥でき、内壁におけるカビの発生を抑制することができる。
【００２２】
また、本発明に係る浴室乾燥機では、制御手段は、浴室内の空気を換気する換気モードを実行する際に、第１ルーバ及び第２ルーバを吹出口に収納することも好ましい。
【００２３】
この好ましい態様では、換気モードの実行時に、第１ルーバ及び第２ルーバを吹出口に収納するので、吸い込んだ浴室内の空気が吹出口から浴室内に漏れ出ることなく浴室乾燥機内を流れ、浴室の外へ確実に排出することができる。
【発明の効果】
【００２４】
本発明によれば、乾燥ムラを低減して、乾燥を促進することができる浴室乾燥機を提供することができる。
【図面の簡単な説明】
【００２５】
【図１】本発明の実施形態である浴室乾燥機を浴室に取り付けた状態を示す図である。
【図２】本発明の実施形態である浴室乾燥機を下方から見た状態を示す外観斜視図である。
【図３】図２におけるII-II断面を示す断面図である。
【図４】図３におけるIII-III断面を示す断面図である。
【図５】本発明の実施形態である浴室乾燥機の制御的な構成を示すブロック構成図である。
【図６】本発明の実施形態である浴室乾燥機の各運転モードにおける動作状態を示す図である。
【図７】衣類乾燥モードにおけるルーバの状態を示す図である。
【図８】入浴暖房モードにおけるルーバの状態を示す図である。
【図９】暖房モードにおけるルーバの状態を示す図である。
【図１０】循環換気モードにおけるルーバの状態を示す図である。
【図１１】換気モードにおけるルーバの状態を示す図である。
【発明を実施するための形態】
【００２６】
以下、添付図面を参照しながら本発明の実施の形態について説明する。説明の理解を容易にするため、各図面において同一の構成要素に対しては可能な限り同一の符号を付して、重複する説明は省略する。
【００２７】
本発明の実施形態である浴室乾燥機について図１を参照しながら説明する。図１は、本発明の実施形態である浴室乾燥機ＤＭを浴室ＢＲに取り付けた状態を示す図である。浴室乾燥機ＤＭは、浴室ＢＲの天井ＢＲｃに取り付けられるものである。浴室乾燥機ＤＭは、吹き出す風の方向を、直下方向の空気流ＡＦａや斜下方向の空気流ＡＦｂのみならず、浴室ＢＲの側壁面ＢＲｗに向かう水平方向の空気流ＡＦｃとなるように吹き出している。従って、乾燥対象物である衣類ＣＬを浴室ＢＲの広い範囲に分散して干した場合でも、その衣類ＣＬに風を当てることができる。
【００２８】
図２に、浴室乾燥機ＤＭを下方から見た状態を示す外観斜視図を示す。図２に示されるように、浴室乾燥機ＤＭは、吸込口２０から浴室ＢＲ（図１参照）内の空気を吸い込んで、通常の換気モードの場合にはその空気を浴室ＢＲ外に送り出し、その他の場合は吸い込んだ空気の少なくとも一部を吹出口１３から浴室ＢＲ内に送り出すように構成されている。
【００２９】
本実施形態の浴室乾燥機ＤＭの場合、吹出口１３に風向規制手段としてのルーバ１０及びルーバ１１が設けられている。ルーバ１０及びルーバ１１の方向を調整することで、吹出口１３から吹き出す空気が、直下方向の空気流ＡＦａや斜下方向の空気流ＡＦｂのみならず、浴室ＢＲの側壁面ＢＲｗ（図１参照）に向かう水平方向の空気流ＡＦｃとなるように調整している。
【００３０】
続いて、浴室乾燥機ＤＭの内部構造について、図３及び図４を参照しながら説明する。図３は、図２におけるII-II断面を示す断面図である。図４は、図３におけるIII-III断面を示す断面図である。図３及び図４に示すように、浴室乾燥機ＤＭは、本体部ＤＭａと、カバー部ＤＭｂとを備えている。本体部ＤＭａは、浴室ＢＲの天井ＢＲｃ（図１参照）に直接取り付けられる部分である。カバー部ＤＭｂは、浴室ＢＲの天井ＢＲｃに沿って、本体部ＤＭａを覆うように取り付けられるカバーである。
【００３１】
本体部ＤＭａ内部には、ファン３０と、ファン３０を回転駆動するファンモータ３０ａが設けられている。ファンモータ３０ａが回転すると、ファン３０が回転駆動され、カバー部ＤＭｂに形成された吸込口２０から浴室ＢＲ内の空気を吸い込むように構成されている。ファン３０の回転によって吸い込まれた空気は、ファン３０から内部流路５０へと送り出される。
【００３２】
内部流路５０は、換気側内部流路５１と循環側内部流路５２とに繋がっている。内部流路５０と、換気側内部流路５１及び循環側内部流路５２との間には、ダンパ４０が設けられている。ダンパ４０は、内部流路５０を流れる空気を、換気側内部流路５１と循環側内部流路５２とに振り分けて流すためのものである。
【００３３】
換気側内部流路５１は、浴室外に繋がる排気流路（図示しない）に繋がっている。循環側内部流路５２には、ヒータ４１が設けられている。ヒータ４１に通電することで、循環側内部流路５２を流れる空気が温められる。循環側内部流路５２の末端は、カバー部ＤＭｂに形成された吹出口１３に繋がっている。
【００３４】
吹出口１３の一側にはルーバ１０が設けられており、吹出口１３の他側にはルーバ１１が設けられている。従って、ルーバ１０とルーバ１１とは、吹出口１３を挟んで互いに対向するように設けられている。更に、ルーバ１０とルーバ１１とを吹出口１３に収納した際に、ルーバ１０とルーバ１１とが吹出口１３から突出せず収納されるとともに、ルーバ１０及びルーバ１１の少なくとも一方がカバー部ＤＭｂとフラットになるように構成されている。
【００３５】
ルーバ１０は、矩形板状の部材によって構成されており、平面視で長方形を成している。ルーバ１０の長手辺の一方側は、ルーバモータ１０ａに繋がれている。ルーバモータ１０ａが駆動されることで、ルーバ１０は長手辺の一方側を中心として回動するように構成されている。
【００３６】
ルーバ１１は、矩形板状の部材によって構成されており、平面視で長方形を成している。ルーバ１１の長手辺の一方側は、ルーバモータ１１ａに繋がれている。ルーバモータ１１ａが駆動されることで、ルーバ１１は長手辺の一方側を中心として回動するように構成されている。
【００３７】
続いて、浴室乾燥機ＤＭの制御的な構成について、図５を参照しながら説明する。図５は、浴室乾燥機ＤＭの制御的な構成を示すブロック構成図である。図５に示されるように、浴室乾燥機ＤＭは、制御的な構成要素として、リモコン６０と、制御部ＣＵ（制御手段）と、ファンモータ３０ａと、ダンパモータ４０ａと、ルーバモータ１０ａ，１１ａと、ヒータ４１とを備えている。
【００３８】
リモコン６０を操作することで、浴室乾燥機ＤＭの運転開始や運転停止、浴室乾燥機ＤＭの運転モードの情報が制御部ＣＵに出力される。制御部ＣＵは、ＣＰＵやメモリやインターフェイスといった機能部の集合体として構成されている。制御部ＣＵは、リモコン６０から入力された情報及び制御部ＣＵ内で自律的に演算された情報に基づいて、ファンモータ３０ａ、ダンパモータ４０ａ、ルーバモータ１０ａ，１１ａ、及びヒータ４１に動作を指示する指示信号を出力する。ファンモータ３０ａ、ダンパモータ４０ａ、ルーバモータ１０ａ，１１ａ、及びヒータ４１は、その出力された指示信号に基づいて、所定の動作を実行する。
【００３９】
本実施形態の浴室乾燥機ＤＭは、運転モードとして、乾燥モードと、入浴暖房モードと、暖房モードと、循環換気モードと、換気モードと、を実行可能なように構成されている。各運転モードの動作態様について、図６を参照しながら説明する。図６は、本実施形態である浴室乾燥機ＤＭの各運転モードにおける動作状態を示す図である。
【００４０】
乾燥モードでは、ファン３０は「入」となっており回転駆動され、ダンパ４０は「半開」となっており、ヒータ４１は「入」となっており通電されている。ダンパ４０が「半開」とは、内部流路５０を流れる空気が換気側内部流路５１と循環側内部流路５２とに１：２に振り分けられるような位置に移動されていることを示している。
【００４１】
更に乾燥モードでは、図７に示すような位置にルーバ１０，１１が移動されている。図７は、乾燥モードにおけるルーバ１０，１１の状態を示す図である。図７に示されるように、ルーバ１０とルーバ１１との間に形成される空間が吹出口１３から離れるに従って絞られるようにルーバ１０及びルーバ１１を制御することで、吹出口１３から吹き出される空気をルーバ１０とルーバ１１の間において、ルーバ１０及びルーバ１１の延在方向に広げて流している。
【００４２】
本実施形態の場合、吹出口１３の幅であるルーバ１０が取り付けられている辺とルーバ１１が取り付けられている辺との距離Ｌ１と、ルーバ１０の短手方向の長さである距離Ｌ２と、ルーバ１１の短手方向の長さである距離Ｌ３と、がそれぞれ同じ長さになるように構成されている。また、この乾燥モードにおいてルーバ１０とルーバ１１とは、それぞれの自由端１０１と自由端１１１とが互いに近接するように制御されている。
【００４３】
このように、乾燥モードの実行時に、浴室側となるルーバ１０の自由端１０１（端部）とルーバ１１の自由端１１１（端部）とが近づくように制御するので、ルーバ１０とルーバ１１とが吹出口１３から離れるにつれて、ルーバ１０とルーバ１１との間隔が除々に絞られ、吹出口１３から水平方向（紙面を貫く方向）に沿った流路（図７で斜線を付した領域Ｓ１）が形成される。
【００４４】
これにより、吹出口１３からの空気が、ルーバ１０とルーバ１１にあたり、ルーバ１０及びルーバ１１の延在方向である水平方向に沿って流れる。そのため、吹出口１３から噴出された空気をルーバ１０とルーバ１１との両端から吹き出させることができ（図１の空気流ＡＦｃ）、浴室ＢＲの側壁面ＢＲｗ方向にも行き亘らせることができる。従って、浴室ＢＲの側壁面ＢＲｗ側に並べられた衣類ＣＬ（乾燥対象物）にも直接的に空気をあてることができ、乾燥ムラを防止することができる。
【００４５】
また、本実施形態では、ルーバ１０及びルーバ１１は長方形であり、ルーバ１０及びルーバ１１の短手方向が吹出口１３から突出するように配置されている。
【００４６】
このように、ルーバ１０及びルーバ１１の短手方向が吹出口１３から突出するように配置することで、吹出口１３の近傍にルーバ１０及びルーバ１１の自由端１０１，１１０（浴室側端部）を配置することができる。従って、吹出口１３から吹き出された空気は勢いがつく前にルーバ１０及びルーバ１１の全体によって方向転換がなされ、ルーバ１０及びルーバ１１の延在方向である水平方向に空気が円滑に流れる。そのため、吹出口１３から吹き出された空気が円滑により広い範囲へと吹き出され、浴室ＢＲ全体に衣類ＣＬを干した場合でもその干した衣類ＣＬ全体に空気を行き渡らせることができ、乾燥ムラを軽減し乾燥の促進を図ることができる。
【００４７】
また、本実施形態では、ルーバ１０の短手方向の長さである距離Ｌ２と、ルーバ１１の短手方向の長さである距離Ｌ３とがそれぞれ等しくなるように構成されている。
【００４８】
このように、ルーバ１０の短手方向の長さである距離Ｌ２と、ルーバ１１の短手方向の長さである距離Ｌ３とがそれぞれ等しいので、ルーバ１０とルーバ１１とを所定距離離隔させて配置し、ルーバ１０及びルーバ１１それぞれの先端である自由端１０１，１１１を近づけて空気流路を形成した場合に、その空気流路断面形状が略二等辺三角形となるため、それぞれのルーバ１０，１１の短手方向長さを十分に活かすことができる。従って、ルーバ１０とルーバ１１とで形成される空気流路（領域Ｓ１）の断面積を広く確保することができ、ルーバ１０及びルーバ１１の延在方向に流れる空気量を十分に確保することができるため、浴室ＢＲ全体に衣類ＣＬを干した場合でもその干した衣類ＣＬ全体に空気を行き渡らせることができ、乾燥ムラを軽減し乾燥の促進を図ることができる。また、実際の施工現場で、この浴室乾燥機ＤＭを水平方向に１８０度回転して設置してしまった場合であっても、ルーバ１０とルーバ１１とが短手方向同じ長さであるため、方向性の違いをそれぞれの動作を変更することで対応することができる。具体的には、コントローラである制御部ＣＵの設定を変更し、本来第１ルーバであるルーバ１０がすべき動作をルーバ１１に行わせ、本来第２ルーバであるルーバ１１がすべき動作をルーバ１０に行わせることで対応することができる。
【００４９】
更に、本実施形態では、ルーバ１０の短手方向の長さである距離Ｌ２と、ルーバ１１の短手方向の長さである距離Ｌ３と、吹出口１３の一辺の長さである距離Ｌ１とがそれぞれ等しいように構成されている。
【００５０】
このように、ルーバ１０の短手方向の長さである距離Ｌ２と、ルーバ１１の短手方向の長さである距離Ｌ３と、吹出口１３の一辺の長さである距離Ｌ１とがそれぞれ等しいので、ルーバ１０及びルーバ１１それぞれの先端である自由端１０１，１１１を近づけて空気流路を形成した場合に、その空気流路断面形状が略正三角形となるため、それぞれのルーバ１０，１１の短手方向長さを最大限に活かすことができる。従って、ルーバ１０とルーバ１１とで形成される空気流路の断面積を広く確保することができ、ルーバ１０及びルーバ１１の延在方向に流れる空気量を十分に確保することができるため、浴室ＢＲ全体に衣類ＣＬを干した場合でもその干した衣類ＣＬ全体に空気を行き渡らせることができ、乾燥ムラを軽減し乾燥の促進を図ることができる。
【００５１】
図６に戻って説明を続ける。入浴暖房モードでは、ファン３０は「入」となっており回転駆動され、ダンパ４０は「全閉」となっており、ヒータ４１は「入」となっており通電されている。ダンパ４０が「全閉」とは、内部流路５０を流れる空気のほぼ全てが、循環側内部流路５２に流れるような位置に移動されていることを示している。
【００５２】
更に入浴暖房モードでは、図８に示すような位置にルーバ１０，１１が移動されている。図８は、入浴暖房モードにおけるルーバ１０，１１の状態を示す図である。図８に示されるように、ルーバ１０とルーバ１１との間に形成される空間が吹出口１３から離れるに従って絞られるようにルーバ１０及びルーバ１１を制御することで、吹出口１３から吹き出される空気をルーバ１０とルーバ１１の間において、ルーバ１０及びルーバ１１の延在方向に広げて流している。より具体的には、乾燥モードの実行時よりもルーバ１０の先端とルーバ１１の先端を近づけ、吹出口１３から吹き出される空気をルーバ１０とルーバ１１との間において、ルーバ１０及びルーバ１１の延在方向に広げて流している。
【００５３】
このように、浴室内に入浴者がいる場合に暖房する入浴暖房モードを実行する際に、乾燥モードの実行時よりもルーバ１０の自由端１０１（先端）とルーバ１１の自由端１１１（先端）を近づけるので、吹出口１３から吹き出される空気をよりルーバ１０及びルーバ１１の延在方向に広げて流すことができる。従って、吹出口１３からの空気を入浴者に直接的にあたらないようにすることができる。
【００５４】
図６に戻って説明を続ける。暖房モードにおいては、ファン３０は「入」となっており回転駆動され、ダンパ４０は「全閉」となっており、ヒータ４１は「入」となっており通電されている。ダンパ４０が「全閉」とは、内部流路５０を流れる空気のほぼ全てが、循環側内部流路５２に流れるような位置に移動されていることを示している。
【００５５】
更に暖房モードにおいては、図９に示すような位置にルーバ１０，１１が移動されている。図９は、暖房モードにおけるルーバ１０，１１の状態を示す図である。図９に示されるように、ルーバ１０とルーバ１１とを互いに沿わせるように制御し、吹出口１３から吹き出される空気を洗い場に向かって吹きつけるようにしている。より好ましくは、ルーバ１０とルーバ１１の傾きを等しくなるように制御し、吹出口１３から吹き出される空気を洗い場に向かって効果的に吹きつけることが考えられる。
【００５６】
このようにすることで、浴室内の暖房をする暖房モードを実行する際に、吹出口１３からの空気を浴室の洗い場に向かって確実に流すことができるので、洗い場を早く暖めることができ、入浴者が快適に入浴を楽しむことができる。
【００５７】
図６に戻って説明を続ける。循環換気モードでは、ファン３０は「入」となっており回転駆動され、ダンパ４０は「半開」となっており、ヒータ４１は「切」となっており通電されていない。ダンパ４０が「半開」とは、内部流路５０を流れる空気が換気側内部流路５１と循環側内部流路５２とに１：２に振り分けられるような位置に移動されていることを示している。
【００５８】
また、浴室内の空気を循環させながら換気する循環換気モードを実行する際に、図１０に示すような位置にルーバ１０，１１が移動されている。図１０は、循環換気モードにおけるルーバ１０，１１の状態を示す図である。図１０に示されるように、ルーバ１０とルーバ１１とを互いに沿わせるように制御し、吹出口１３から吹き出される空気を浴室内壁に向かって吹きつけている。より好ましくは、ルーバ１０とルーバ１１の傾きを等しくなるように制御し、吹出口１３から吹き出される空気を浴室内壁に向かって効果的に吹きつけていることが考えられる。
【００５９】
このように、循環換気モードの実行時に、吹出口１３からの空気を浴室の内壁に向かって確実に流すことができるので、浴室の内壁を素早く乾燥でき、内壁におけるカビの発生を抑制することができる。
【００６０】
図６に戻って説明を続ける。換気モードでは、ファン３０は「入」となっており回転駆動され、ダンパ４０は「全開」となっており、ヒータ４１は「切」となっており通電されていない。ダンパ４０が「全開」とは、内部流路５０を流れる空気の全てが、換気側内部流路５１に流れるような位置に移動されていることを示している。
【００６１】
また、浴室内の空気を換気する換気モードを実行する際に、図１１に示すような位置にルーバ１０，１１が移動されている。図１１は、換気モードにおけるルーバ１０，１１の状態を示す図である。図１１に示されるように、ルーバ１０及びルーバ１１を吹出口１３に収納している。
【００６２】
このように、換気モードの実行時に、ルーバ１０及びルーバ１１を吹出口１３に収納するので、吸い込んだ浴室内の空気が吹出口１３から浴室内に漏れ出ることなく浴室乾燥機ＤＭ内を流れ、浴室の外へ確実に排出することができる。
【００６３】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００６４】
ＤＭ：浴室乾燥機
ＤＭａ：本体部
ＤＭｂ：カバー部
ＣＵ：制御部
ＢＲ：浴室
ＢＲｗ：側壁面
ＢＲｃ：天井
ＡＦａ：空気流
ＡＦｂ：空気流
ＡＦｃ：空気流
１０：ルーバ
１０ａ：ルーバモータ
１１：ルーバ
１１ａ：ルーバモータ
１３：吹出口
２０：吸込口
３０：ファン
３０ａ：ファンモータ
４０：ダンバー
４０ａ：ダンパモータ
４１：ヒータ
５０：内部流路
５１：換気側内部流路
５２：循環側内部流路
【図１】
0005673379.tif 000002
【図２】
0005673379.tif 000003
【図３】
0005673379.tif 000004
【図４】
0005673379.tif 000005
【図５】
0005673379.tif 000006
【図６】
0005673379.tif 000007
【図７】
0005673379.tif 000008
【図８】
0005673379.tif 000009
【図９】
0005673379.tif 000010
【図１０】
0005673379.tif 000011
【図１１】
0005673379.tif 000012